(57)【要約】  現金カセットの監視システムに関する利便性を向上できる現金カセット監視システムおよび現金カセットを提供する。  現金カセット監視システム（９）は、情報処理装置（１）と現金カセット（５）と監視サーバ（６）と現金カセット設置装置（７）とを含む。情報処理装置（１）は、監視サーバ（６）から第１のカセット情報（３ａ）を受信し、現金カセット（５）から第２のカセット情報（３ｂ）を受信し、第１のカセット情報（３ａ）および第２のカセット情報（３ｂ）に基づいて第３のカセット情報（３ｃ）を表示部（２ｂ）に表示し、現金カセット設置装置（７）から現金カセット（５）を介して第１の装置情報（４ａ）を受信し、第１の装置情報（４ａ）に基づいて第２の装置情報（４ｂ）を表示部（２ｂ）に表示するよう制御する制御部（２ａ）を含む。
2017168752.tif 000002
【特許請求の範囲】
【請求項１】
情報処理装置と現金カセットと監視サーバと現金カセット設置装置とを含む現金カセット監視システムであって、
前記情報処理装置は、
前記監視サーバから第１のカセット情報を受信し、前記現金カセットから第２のカセット情報を受信し、
前記第１のカセット情報および前記第２のカセット情報に基づいて第３のカセット情報を表示部に表示し、
前記現金カセット設置装置から前記現金カセットを介して第１の装置情報を受信し、
前記第１の装置情報に基づいて第２の装置情報を表示部に表示するよう制御する制御部を含む、
現金カセット監視システム。
【請求項２】
前記制御部は、
前記情報処理装置が前記現金カセットに装着したことを認識した場合に、前記第２のカセット情報を受信し、
前記現金カセットが前記現金カセット設置装置に設置されたことを認識した場合に、前記現金カセット設置装置から現金カセットを介して第１の装置情報を受信するよう制御する、
請求項１記載の現金カセット監視システム。
【請求項３】
前記制御部は、
前記情報処理装置の現在の位置情報を取得し、
前記情報処理装置が備えるカメラで画像情報を取得し、
前記位置情報および前記画像情報を前記監視サーバに送信するよう制御する、
請求項１記載の現金カセット監視システム。
【請求項４】
前記制御部は、
前記情報処理装置の現在の位置情報に基づき、前記情報処理装置を装着した前記現金カセットを搬送する係員が保持する情報処理装置である係員情報処理装置から一定の距離以上離れたと判定した場合に、
前記位置情報および前記画像情報を前記監視サーバに送信するよう制御する、
請求項３記載の現金カセット監視システム。
【請求項５】
前記制御部は、
前記情報処理装置の現在の位置情報に基づき、前記現金カセットを設置する前記現金カセット設置装置への搬送ルートから一定の距離以上離れたと判定した場合に、
前記位置情報および前記画像情報を前記監視サーバに送信するよう制御する、
請求項３記載の現金カセット監視システム。
【請求項６】
前記第１のカセット情報は、前記現金カセットが設置される前記現金カセット設置装置を特定する情報を含み、
前記第２のカセット情報は、前記現金カセットの点検履歴情報と前記現金カセットの内容物の情報のいずれかを含み、
前記第３のカセット情報は、前記第２のカセット情報に含まれる情報のいずれかと前記第１のカセット情報とを含む、
請求項１記載の現金カセット監視システム。
【請求項７】
前記第１の装置情報は、前記現金カセット設置装置の障害履歴情報と、前記現金カセット設置装置の障害対策情報と、前記現金カセット設置装置の復旧履歴情報と、前記現金カセット設置装置の装置履歴情報のいずれかを含む、
請求項１記載の現金カセット監視システム。
【請求項８】
前記現金カセットは、
前記現金カセットの外側に箱状の収容蓋部を備え、
前記現金カセットの内側に現金カセット制御部と現金カセット記憶部とを備えた電子基板を備え、
前記収容蓋部に収容された前記情報処理装置と前記電子基板との間で情報通信を可能とする接続部または通信部を備え、
前記現金カセット制御部は、前記接続部または前記通信部を介して前記現金カセット記憶部に記憶された前記第２のカセット情報を前記情報処理装置に送信する、
請求項１記載の現金カセット監視システム。
【請求項９】
現金カセットであって、
前記現金カセットの外側に箱状の収容蓋部を備え、
前記現金カセットの内側に制御部と記憶部とを備えた電子基板を備え、
前記収容蓋部に収容された情報処理装置と前記電子基板との間で情報通信を可能とする接続部または通信部を備え、
前記制御部は、前記接続部または前記通信部を介して前記記憶部に記憶された前記現金カセットに関する情報を前記情報処理装置に送信する、
現金カセット。
【請求項１０】
前記収容蓋部は、透明性を有する部材からなり前記情報処理装置が備える表示部を外部から視認できる透視窓を備える、
請求項９記載の現金カセット。
【発明の詳細な説明】
【技術分野】
【０００１】
本発明は、現金カセット監視システムおよび現金カセットに関する。
【背景技術】
【０００２】
金融取引を行う取引装置として、金融機関等で用いられる現金自動預払機（ＡＴＭ；Automated Teller Machine、以下ＡＴＭと記載する）が知られている。ＡＴＭは、現金取引に必要な現金を収容する現金カセットを内部に備える。【０００３】
また、小売店等の商品販売の現場では会計システムとしてＰＯＳ（Point Of Sales）システムが導入されている。ＰＯＳシステムでは、店員がＰＯＳ端末装置を操作することで商品の精算等の会計操作が行われる。ＰＯＳ端末装置は、現金取引に必要な現金を収容する現金カセットを内部に備える。【０００４】
現金カセットは、現金の補充や回収を行う場合や保守点検を行う場合に、係員によって運搬され、ＡＴＭやＰＯＳ端末装置に出し入れされる。
現金カセットと現金カセットを扱う者にセンサを装着し、現金カセットと取扱者とが所定距離以上離れたか否かを判定し、所定距離以上離れた場合に盗難と判定して盗難警告装置を作動させることで、現金カセットの盗難犯罪を防止する技術が知られている。
【先行技術文献】
【特許文献】
【０００５】
【特許文献１】特開２００１−２８０８０号公報
【発明の概要】
【発明が解決しようとする課題】
【０００６】
従来、現金カセットおよび設置する装置等にセンサを搭載した盗難防止のシステムはあったが、現金カセットの位置情報を監視するのみであった。
また、係員が複数台の現金カセットをそれぞれ異なる目的地に運搬し、ＡＴＭやＰＯＳ端末装置に設置することを要する場合、現金カセットそれぞれの運搬や設置に関する情報を係員に適切に伝達することが望まれている。【０００７】
一側面では、本発明は、現金カセットの監視システムに関する利便性を向上できる現金カセット監視システムおよび現金カセットを提供することを目的とする。
【課題を解決するための手段】
【０００８】
上記目的を達成するために、以下に示すような現金カセット監視システムおよび現金カセットを提供する。
現金カセット監視システムは、情報処理装置と現金カセットと監視サーバと現金カセット設置装置とを含む。情報処理装置は、監視サーバから第１のカセット情報を受信し、現金カセットから第２のカセット情報を受信し、第１のカセット情報および第２のカセット情報に基づいて第３のカセット情報を表示部に表示し、現金カセット設置装置から現金カセットを介して第１の装置情報を受信し、第１の装置情報に基づいて第２の装置情報を表示部に表示するよう制御する制御部を有する。【０００９】
現金カセットは、現金カセットの外側に箱状の収容蓋部を備え、現金カセットの内側に制御部と記憶部とを備えた電子基板を備え、収容蓋部に収容された情報処理装置と電子基板との間で情報通信を可能とする接続部または通信部を備える。現金カセットが備える制御部は、接続部または通信部を介して記憶部に記憶された現金カセットに関する情報を情報処理装置に送信する。
【発明の効果】
【００１０】
一態様によれば、現金カセットの監視システムに関する利便性を向上できる現金カセット監視システムおよび現金カセットを提供できる。
本発明の上記および他の目的、特徴および利点は本発明の例として好ましい実施の形態を表す添付の図面と関連した以下の説明により明らかになるであろう。
【図面の簡単な説明】
【００１１】
【図１】第１の実施形態の現金カセット監視システムの一例を示す図である。
【図２】第２の実施形態の現金カセット監視システムの一例を示す図である。
【図３】第２の実施形態の現金カセットの概略構成の一例を示す図である。
【図４】第２の実施形態の携帯端末収容蓋を開けた状態の現金カセットの概略構成の一例を示す図である。
【図５】第２の実施形態の現金カセット内部基板の設置位置の概略の一例を示す図である。
【図６】第２の実施形態の緩衝部材の配置の一例を示す図である。
【図７】第２の実施形態の携帯端末のハードウェア構成の一例を示す図である。
【図８】第２の実施形態のカセット情報表示画面の一例を示す図である。
【図９】第２の実施形態のＡＴＭ情報表示画面の一例を示す図である。
【図１０】第２の実施形態の携帯端末カセット監視処理のフローチャートを示す図である（その１）。
【図１１】第２の実施形態の携帯端末カセット監視処理のフローチャートを示す図である（その２）。
【発明を実施するための形態】
【００１２】
以下、図面を参照して実施の形態を詳細に説明する。
［第１の実施形態］
まず、第１の実施形態の現金カセット監視システムについて図１を用いて説明する。図１は、第１の実施形態の現金カセット監視システムの一例を示す図である。
【００１３】
現金カセット監視システム９は、情報処理装置１と現金カセット５と監視サーバ６と現金カセット設置装置７とを含む。
情報処理装置１は、現金カセット５や監視サーバ６にアクセスして情報処理を行う装置であり、たとえば、スマートフォンに代表される多機能電話機や、コンピュータ等がある。
【００１４】
現金カセット５は、内部に現金を収納する容器である。現金カセット５は、外側に箱状の収容蓋部を備え、内側に制御部と記憶部とを備えた電子基板を備える。現金カセット５は、収容蓋部に収容された情報処理装置１と電子基板との間で情報通信を可能とする接続部または通信部を備える。接続部は、たとえば、コネクタやケーブルである。通信部は、たとえば、無線通信を可能とするアンテナ等の機器である。現金カセット５が備える制御部は、接続部または通信部を介して現金カセット５が備える記憶部に記憶された現金カセットに関する情報を情報処理装置に送信できる。現金カセット５が備える収容蓋部は、透明性を有する部材からなり、情報処理装置が備える表示部を外部から視認できる透視窓を備える。
【００１５】
監視サーバ６は、情報処理を行う装置であり、たとえば、コンピュータである。監視サーバ６は、情報処理装置１や現金カセット設置装置７と情報通信が可能である。監視サーバ６は、現金カセット５の収容蓋部に収容された情報処理装置１から位置情報または画像情報８を受信し、現金カセット５の現在の位置情報の追跡等の監視を行う。
【００１６】
現金カセット設置装置７は、現金カセット５を設置する装置であり、たとえば、金融機関に設置されたＡＴＭや小売店舗に設置されたＰＯＳ端末装置等がある。現金カセット設置装置７は、現金カセット５が設置された場合、現金カセット５が備える電子基板を介して情報処理装置１に対して現金カセット設置装置７が保持する情報を送信することが可能である。
【００１７】
ここで、情報処理装置１の動作について説明する。
情報処理装置１の制御部２ａは、監視サーバ６から第１のカセット情報３ａを受信し、現金カセットから第２のカセット情報３ｂを受信し、第１のカセット情報３ａおよび第２のカセット情報３ｂに基づいて第３のカセット情報３ｃを表示部に表示するよう制御する。また、情報処理装置１の制御部２ａは、現金カセット設置装置７から現金カセットを介して第１の装置情報４ａを受信し、第１の装置情報４ａに基づいて第２の装置情報４ｂを表示部に表示するよう制御する。
【００１８】
第１のカセット情報３ａは、現金カセット５が設置される現金カセット設置装置７を特定する情報を含む。現金カセット設置装置７を特定する情報は、たとえば、現金カセット設置装置７の装置番号や現金カセット設置装置７が設置されている金融機関の支店名や小売店の店舗名、位置情報等を含む。第２のカセット情報３ｂは、現金カセット５の点検履歴情報と現金カセット５の内容物の情報のいずれかを含む。点検履歴情報は、たとえば、現金カセット５の点検や修理を行った日時の情報や交換した部材の情報等を含む。現金カセット５の内容物の情報は、たとえば、現金カセット５に収容されている紙幣の金種や枚数の情報である。第３のカセット情報３ｃは、第２のカセット情報３ｂに含まれる情報のいずれかと第１のカセット情報３ａとを含む。
【００１９】
第１の装置情報４ａは、現金カセット設置装置７の障害履歴情報と、現金カセット設置装置７の障害対策情報と、現金カセット設置装置７の復旧履歴情報と、現金カセット設置装置７の装置履歴情報のいずれかを含む。
【００２０】
情報処理装置１の制御部２ａは、情報処理装置１が現金カセット５に装着したことを認識した場合に、第２のカセット情報３ｂを受信するよう制御する。また、情報処理装置１の制御部２ａは、現金カセット５が現金カセット設置装置７に設置されたことを認識した場合に、現金カセット設置装置７から現金カセット５を介して第１の装置情報４ａを受信するよう制御する。
【００２１】
また、情報処理装置１の制御部２ａは、情報処理装置１の現在の位置情報を取得し、情報処理装置１が備えるカメラで画像情報を取得し、位置情報および画像情報を監視サーバ６に送信するよう制御する。情報処理装置１の制御部２ａは、情報処理装置１の現在の位置情報に基づき、情報処理装置１を装着した現金カセット５を搬送する係員が保持する情報処理装置である係員情報処理装置から一定の距離以上離れたと判定した場合に、位置情報および画像情報を監視サーバ６に送信するよう制御する。情報処理装置１の制御部２ａは、情報処理装置１の現在の位置情報に基づき、現金カセット５を設置する現金カセット設置装置７への搬送ルートから一定の距離以上離れたと判定した場合に、位置情報および画像情報を監視サーバ６に送信するよう制御する。
【００２２】
これにより、現金カセット５を現金カセット設置装置７に設置する係員は、現金カセット５の点検履歴や現金カセット５の内容物の情報を把握しやすくなる。また、現金カセット設置装置７について第１の装置情報４ａが情報処理装置１の表示部２ｂに表示されることにより、係員は、現金カセット設置装置７について保守や点検をしやすくなる。
【００２３】
また、監視サーバ６は、情報処理装置１の位置情報や画像情報を情報処理装置１から受信することにより、情報処理装置１が装着された現金カセット５を監視するための情報が得られる。現金カセット監視システム９のシステム管理者は、盗難等が発生した場合に対処しやすくなる。
【００２４】
このように、現金カセット監視システム９は、現金カセット５の監視システムに関する利便性を向上できる。
［第２の実施形態］
次に、第２の実施形態として、情報処理装置１を携帯端末に適用した現金カセット監視システムについて図２を用いて説明する。図２は、第２の実施形態の現金カセット監視システムの一例を示す図である。
【００２５】
現金カセット監視システム４００は、現金カセットの位置や状態を監視するとともに、現金カセットに関する情報を提供するシステムである。
現金カセット監視システム４００は、現金カセット１５０、現金カセット１５０を設置する機器であるＡＴＭ１０とＰＯＳ端末装置１１、現金カセット１５０を監視するための監視サーバ３００とを含む。ＡＴＭ１０、ＰＯＳ端末装置１１、携帯端末２００ａを装着した現金カセット１５０、携帯端末２００ｂ、監視サーバ３００は、ネットワーク２５０を介してアクセス可能に接続されている。
【００２６】
ＡＴＭ１０は、金融機関やコンビニエンスストア等に設置された現金自動預払機であり、現金取引に必要な現金を収容する現金カセット１５０を内部に備える。ＡＴＭ１０は、金融機関等の各店舗に１台以上設置されるが、図２ではその内の１台を図示する。
【００２７】
ＰＯＳ端末装置１１は、小売店等の商品の精算等の会計操作を行う装置であり、現金取引に必要な現金を収容する現金カセットを内部に備える。ＰＯＳ端末装置１１は、小売店等の各店舗に１台以上設置されるが、図２ではその内の１台を図示する。
【００２８】
なお、ＡＴＭ１０やＰＯＳ端末装置１１は、現金カセット１５０を設置する機器の一例であり、その他のものでもよい。
現金カセット１５０は、現金を収納する容器であり、ＡＴＭ１０やＰＯＳ端末装置１１に着脱可能に設置される。現金カセット１５０は、現金カセット１５０を一意に識別する識別情報、現金カセット１５０の内容物に関する情報（収納した紙幣の金種や枚数等）、現金カセット１５０の点検履歴の情報などを、現金カセット１５０の内部に備えたメモリ等の記憶部に記憶できる。また、現金カセット１５０は、内部にＣＰＵ（Central Processing Unit）等の制御部を有し、現金カセット１５０に装着した携帯端末２００ａとデータのアクセスが可能である。また、現金カセット１５０は、ＡＴＭ１０やＰＯＳ端末装置１１に設置された場合、ＡＴＭ１０やＰＯＳ端末装置１１と通信可能である。
【００２９】
現金カセット１５０に装着された携帯端末２００ａは、情報の記憶、送受信および表示等の情報処理を行う機能を備えた電子機器である。携帯端末２００ａは、たとえば、スマートフォンに代表される多機能電話機や、小型のコンピュータや、タブレットＰＣ（Personal Computer）に代表される多機能携帯端末等である。携帯端末２００ａは、現金カセット１５０が保持する情報や、監視サーバ３００から受信した情報を表示することが可能である。また、携帯端末２００ａは、ＧＰＳ（Global Positioning System）の機能を備えており、現在の位置情報を取得できる。また、携帯端末２００ａは、カメラの機能を備えており、静止画や動画を撮影できる。
【００３０】
現金カセット１５０の運搬を行う係員１５は、携帯端末２００ｂを所持する。携帯端末２００ｂも携帯端末２００ａと同様の機能を備えた電子機器である。
なお、車両１２は、係員１５が現金カセット１５０を金融機関や小売店等に運搬するための移動手段の一例であり、現金カセット監視システム４００に必須の事項ではない。
【００３１】
ここで、現金カセット１５０を運搬する係員１５が、現金カセット１５０をＡＴＭ１０に設置する処理について説明する。係員１５は、金融機関の店舗や現金カセット集配センター等（図示を省略）において現金カセット１５０に携帯端末２００ａを装着し、現金カセット１５０の運搬を開始する。係員１５は、現金カセット１５０の運搬先や設置対象となるＡＴＭ１０の情報等を、携帯端末２００ａに表示された画面で確認できる。また、現金カセット１５０が盗難されたことを携帯端末２００ａが検知した場合、携帯端末２００ａは、現在の位置情報やカメラで撮影した画像情報を監視サーバ３００に送信できる。
【００３２】
このようにして、現金カセット１５０の運搬や設置に関する情報を携帯端末２００ａで提示することで、係員１５に対する利便性を向上させることができる。また、携帯端末２００ａが位置情報や画像情報を監視サーバ３００に送信することで、監視サーバ３００は、現金カセット１５０の盗難等における調査に役立つ情報を収集できる。
【００３３】
次に、第２の実施形態の現金カセットの概略構成について図３を用いて説明する。図３は、第２の実施形態の現金カセットの概略構成の一例を示す図である。
現金カセット１５０は、紙幣出入口１５１、取っ手１５２、現金カセット蓋１５４、携帯端末収容蓋１５５、および現金カセット本体１５９を備えている。現金カセット蓋１５４は、現金カセット蓋錠部１５３を備えている。携帯端末収容蓋１５５は、携帯端末画面窓１５６、収容蓋錠部１５７、携帯端末カメラ窓１５８を備えている。
【００３４】
なお、現金カセット１５０は、略箱型をした現金を収納する容器であるが、これは一例にすぎない。ＡＴＭ１０やＰＯＳ端末装置１１や車両１２など現金カセット１５０を設置する機器等に応じて、現金カセット１５０や現金カセット１５０に装着する部材の形状を変更することができる。たとえば、現金カセット１５０は矩形であってもよいし、現金カセット１５０の底面に溝やキャスター等を設けてもよいし、形状や部材は適宜変更できる。
【００３５】
紙幣出入口１５１は、紙幣を現金カセット１５０に投入する部分であり、かつ、紙幣を現金カセット１５０から排出する部分である。たとえば、現金カセット１５０がＡＴＭ１０に設置された場合、ＡＴＭ１０は、紙幣を紙幣出入口１５１に投入することで、現金カセット１５０内部に紙幣を収容する。
【００３６】
取っ手１５２は、現金カセット本体１５９に備えられ、現金カセット１５０を持ち上げるために用いるハンドルである。係員１５は、取っ手１５２を手で把持することにより、現金カセット１５０を持ち運ぶことができる。
【００３７】
現金カセット蓋錠部１５３は、現金カセット蓋１５４を現金カセット本体１５９に固定するための錠前であり、現金カセット蓋用の鍵によって開閉できる。現金カセット蓋錠部１５３は、機械式ロックでもよいし、電磁式ロックでもよいし、鍵と錠が一体となったものでもよいし、その他のものでもよい。
【００３８】
携帯端末収容蓋１５５は、携帯端末２００ａを現金カセット１５０に装着するための容器であり、現金カセット本体１５９に対して開閉可能に接続される。携帯端末収容蓋１５５は、携帯端末２００ａを収容できる形状であればよく、箱状の形状に限らない。なお、携帯端末収容蓋１５５は、携帯端末２００ａの保護材や携帯端末２００ａと現金カセット１５０を接続するケーブルや携帯端末２００ａで用いるバッテリ等を携帯端末２００ａとともに収容してもよい。
【００３９】
携帯端末画面窓１５６は、携帯端末収容蓋１５５の内部に収容した携帯端末２００ａの画面を外部から視認するために設けられた窓である。携帯端末画面窓１５６は、携帯端末収容蓋１５５に携帯端末２００ａの画面の大きさや画面の表示領域に応じて開口部を設け、開口部に画面が視認可能な程度に透明な部材をはめ込んだ部分である。なお、透明な部材は、たとえば、アクリル樹脂で作られた板などがあるが、透明性を有する部材であればこれ以外のものであってもよい。
【００４０】
収容蓋錠部１５７は、携帯端末収容蓋１５５を現金カセット本体１５９に固定するための錠前であり、携帯端末収容蓋用の鍵によって開閉できる。収容蓋錠部１５７は、機械式ロックでもよいし、電磁式ロックでもよいし、鍵と錠が一体となったものでもよいし、その他のものでもよい。
【００４１】
携帯端末カメラ窓１５８は、携帯端末収容蓋１５５の内部に収容した携帯端末２００ａが備えるカメラで現金カセット１５０の外部を撮影するために設けられた窓である。
携帯端末カメラ窓１５８は、携帯端末２００ａが備えるカメラレンズの大きさに応じて開口部を設け、開口部にカメラで撮影可能な程度に透明な部材をはめ込んだ部分である。なお、透明な部材は、たとえば、アクリル樹脂で作られた板などがあるが、透明性を有する部材であればこれ以外のものであってもよい。
【００４２】
なお、携帯端末カメラ窓１５８と携帯端末画面窓１５６は、独立して設ける必要はない。たとえば、携帯端末画面窓１５６を設けることによって携帯端末２００ａが備えるカメラで撮影が可能であれば、携帯端末カメラ窓１５８を設ける必要はない。
【００４３】
現金カセット本体１５９は、現金を収容する容器であり、現金カセット本体１５９に現金カセット蓋１５４が閉じられた状態で固定されることにより、収容された現金が外部に出ないように収容できる。
【００４４】
次に、第２の実施形態の携帯端末収容蓋を開けた状態の現金カセットについて図４を用いて説明する。図４は、第２の実施形態の携帯端末収容蓋を開けた状態の現金カセットの概略構成の一例を示す図である。
【００４５】
携帯端末収容蓋１５５は、現金カセット本体１５９に対し蝶番１７１，１７２によって開閉可能に設けられる。
携帯端末接続コネクタ１６０は、現金カセット１５０に装着する携帯端末２００ａの端子と接続するための部材である。携帯端末接続ケーブル１６１は、現金カセット１５０内部の電子基板と携帯端末２００ａとを接続するためのケーブルである。携帯端末接続ケーブル孔１６２は、現金カセット本体１５９に設けられた孔であり、携帯端末接続ケーブル１６１を通すための孔である。なお、現金カセット１５０内部の電子基板と携帯端末２００ａとが無線通信で情報交換が可能である場合には、携帯端末接続コネクタ１６０、携帯端末接続ケーブル１６１、携帯端末接続ケーブル孔１６２は備えることを要しない。
【００４６】
係止部１８１および係止孔１８２は、携帯端末収容蓋１５５を閉じた状態で現金カセット本体１５９に固定するための機構であり、収容蓋錠部１５７の一部である。係止部１８１は、鉤型の形状に限らず、収容蓋錠部１５７の構造に応じて適宜変更できる。係止孔１８２は、係止部１８１を挿入する穴である。係止孔１８２は、丸型の形状に限らず、係止部１８１の構造に応じて適宜変更できる。
【００４７】
次に、第２の実施形態の現金カセット内部基板の設置位置について図５を用いて説明する。図５は、第２の実施形態の現金カセット内部基板の設置位置の概略の一例を示す図である。
【００４８】
現金カセット内部基板１６５は、現金カセット１５０の内部に設けられるＣＰＵやメモリ等を備えた電子基板である。現金カセット内部基板１６５は、携帯端末接続ケーブル１６１を介して携帯端末２００ａに接続する。
【００４９】
なお、図示を省略するが、現金カセット内部基板１６５は、ＡＴＭ１０やＰＯＳ端末装置１１との接続部を有し、ＡＴＭ１０やＰＯＳ端末装置１１の内部に設置された場合、ＡＴＭ１０やＰＯＳ端末装置１１が保持する制御部と通信し情報を取得することが可能である。
【００５０】
携帯端末２００ａやＡＴＭ１０やＰＯＳ端末装置１１等が現金カセット１５０から情報を取得する場合、現金カセット内部基板１６５にアクセスして情報を取得する。
次に、第２の実施形態の緩衝部材の配置について図６を用いて説明する。図６は、第２の実施形態の緩衝部材の配置の一例を示す図である。
【００５１】
緩衝部材１９１，１９２，１９３，１９４は、現金カセット１５０に装着した携帯端末２００ａが携帯端末収容蓋１５５および現金カセット本体１５９と接触することによる衝撃を緩和し、携帯端末２００ａおよび現金カセット１５０の破損を防ぐための部材である。緩衝部材１９１，１９２，１９３，１９４は、携帯端末収容蓋１５５に携帯端末２００ａを収容した際に、携帯端末２００ａが携帯端末収容蓋１５５および現金カセット１５０と接触すると予測される部分に、両面粘着テープ等を用いて接着して設置できる。なお、緩衝部材１９１，１９２，１９３，１９４は、携帯端末２００ａおよび現金カセット１５０の機能を損なわないように設置できる。
【００５２】
たとえば、緩衝部材１９１は、現金カセット本体１５９側面のうち携帯端末収容蓋１５５で覆われる部分であって、かつ係止孔１８２および携帯端末接続ケーブル孔１６２を除く部分に配置できる。
【００５３】
また、緩衝部材１９２，１９３，１９４は、携帯端末収容蓋１５５の内側であって、かつ携帯端末画面窓１５６および携帯端末カメラ窓１５８および収容蓋錠部１５７を除く部分に配置できる。
【００５４】
緩衝部材１９１，１９２，１９３，１９４は、たとえば、スポンジやウレタンや発泡スチロールや気泡緩衝材やゴムシートがある。なお、これらは一例にすぎず、他の材料であってもよいし、他の材料との組合せであってもよい。
【００５５】
なお、緩衝部材１９１，１９２，１９３，１９４の配置は必須の構成要件ではない。緩衝部材１９１，１９２，１９３，１９４を配置せずに、携帯端末２００ａを保護材等でカバーしてもよい。
【００５６】
次に、第２の実施形態の携帯端末のハードウェア構成について図７を用いて説明する。図７は、第２の実施形態の携帯端末のハードウェア構成の一例を示す図である。
携帯端末２００ａは、制御部２１０を含む。制御部２１０は、プロセッサ２１１、ＲＡＭ（Random Access Memory）２１２、ＨＤＤ（Hard Disk Drive）２１３、入出力信号インタフェース２１４、記憶媒体インタフェース２１５、通信インタフェース２１６を含む。携帯端末２００ａは、プロセッサ２１１によって装置全体が制御されている。プロセッサ２１１には、バス２１７を介してＲＡＭ２１２と複数の周辺機器が接続されている。プロセッサ２１１は、マルチプロセッサであってもよい。プロセッサ２１１は、たとえば、ＣＰＵ、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ２１１は、ＣＰＵ、ＭＰＵ、ＤＳＰ、ＡＳＩＣ、ＰＬＤのうちの２以上の要素の組み合わせであってもよい。
【００５７】
ＲＡＭ２１２は、携帯端末２００ａの主記憶装置として使用される。ＲＡＭ２１２には、プロセッサ２１１に実行させるＯＳ（Operating System）のプログラムやアプリケーションプログラムの少なくとも一部が一時的に記憶される。また、ＲＡＭ２１２には、プロセッサ２１１による処理に必要な各種データが記憶される。
【００５８】
バス２１７に接続されている周辺機器としては、ＨＤＤ２１３、入出力信号インタフェース２１４、記憶媒体インタフェース２１５および通信インタフェース２１６がある。
ＨＤＤ２１３は、内蔵したディスクに対して、磁気的にデータの書き込みおよび読み出しを行う。ＨＤＤ２１３は、携帯端末２００ａの補助記憶装置として使用される。ＨＤＤ２１３には、ＯＳのプログラム、アプリケーションプログラム、および各種データが記憶される。なお、ＨＤＤ２１３に限らず、ＳＳＤ（Solid State Drive）を使用することもできる。なお、補助記憶装置としては、フラッシュメモリなどの半導体記憶装置を使用することもできる。
【００５９】
入出力信号インタフェース２１４には、入出力デバイス２１８が接続されている。入出力デバイス２１８は、入力デバイスと出力デバイスを含む。入力デバイスの一例として、キーボードや、マウスや、タッチパネルや、カメラや、マイクなどがある。また、出力デバイスの一例として、液晶表示や、モニタや、各種パネル表示装置や、スピーカなどがある。なお、入出力デバイス２１８は、制御部２１０と一体型であってもよいし、その他の形態であってもよい。
【００６０】
入出力信号インタフェース２１４は、入力デバイスから送られてくる信号をプロセッサ２１１に送信する。なお、入力デバイスの一例としては、タッチパネル、ペンタブレット、タッチパッド、トラックボール、マウスなどがある。
【００６１】
入出力デバイス２１８の出力デバイスは、プロセッサ２１１からの命令に従って、画像を液晶表示などの表示部に表示させ、音声をスピーカなどの音声出力部から出力する。
記憶媒体インタフェース２１５は、磁気やレーザなどを利用して記憶媒体２１９に記録されたデータの読み取りや書き込みを行う。また、記憶媒体インタフェース２１５は、半導体メモリなどの記憶媒体に記録されたデータの読み取りを行うものであってもよい。
【００６２】
記憶媒体２１９とは、たとえば、メモリカードや、光ディスクや、フラッシュメモリなどの半導体メモリなどを含む。メモリカードは、フラッシュメモリ等を内蔵したデータの読み書き可能な可搬型の記憶媒体である。光ディスクは、光の反射によって読み取り可能なようにデータが記録された可搬型の記録媒体である。光ディスクには、ＤＶＤ（Digital Versatile Disc）、ＤＶＤ−ＲＡＭ、ＣＤ−ＲＯＭ（Compact Disc − Read Only Memory）、ＣＤ−Ｒ（Recordable）／ＲＷ（ReWritable）などがある。
【００６３】
記憶媒体インタフェース２１５は、携帯端末２００ａに周辺機器を接続するための通信インタフェースとしても用いることができる。たとえば、記憶媒体インタフェース２１５には、メモリ装置やメモリリーダライタを接続することができる。メモリ装置は、記憶媒体インタフェース２１５との通信機能を搭載した記録媒体である。メモリリーダライタは、メモリカードへのデータの書き込み、またはメモリカードからのデータの読み出しを行う装置である。
【００６４】
通信インタフェース２１６は、ネットワーク２５０を介して他のコンピュータ、記憶装置、または電子機器等との間でデータの送受信を行う。また、通信インタフェース２１６は、ＡＴＭ１０やＰＯＳ端末装置１１や現金カセット１５０等を介してネットワーク２５０にアクセスしてもよい。なお、ネットワーク２５０は、有線ネットワークであってもよいし、無線ネットワークであってもよい。通信インタフェース２１６は、有線での通信に用いられるコネクタやケーブル等を接続する機能を備えてもよい。また、通信インタフェース２１６は、無線での通信に用いられるアンテナ等を内蔵して備えてもよいし、その他通信に必要な機能を備えてもよい。
【００６５】
以上のようなハードウェア構成によって、第２の実施形態の携帯端末２００ａの処理機能を実現することができる。なお、第１の実施形態の情報処理装置１も、図７に示した
携帯端末２００ａのハードウェア構成で実現できる。なお、第２の実施形態の携帯端末２００ｂや監視サーバ３００も、図７に示した携帯端末２００ａのハードウェア構成で実現できる。また、ＡＴＭ１０やＰＯＳ端末装置１１の制御部や現金カセット内部基板１６５も、図７に示した制御部２１０の構成で実現できる。
【００６６】
携帯端末２００ａは、たとえばコンピュータ読み取り可能な記録媒体に記録されたプログラムを実行することにより、第２の実施の形態の処理機能を実現する。携帯端末２００ａに実行させる処理内容を記述したプログラムは、様々な記録媒体に記録しておくことができる。たとえば、携帯端末２００ａに実行させるプログラムをＨＤＤ２１３に記憶しておくことができる。プロセッサ２１１は、ＨＤＤ２１３内のプログラムの少なくとも一部をＲＡＭ２１２にロードし、プログラムを実行する。また、携帯端末２００ａに実行させるプログラムを、光ディスク、メモリ装置、メモリカードなどの可搬型記録媒体に記録しておくこともできる。可搬型記録媒体に記憶されたプログラムは、たとえばプロセッサ２１１からの制御により、ＨＤＤ２１３にインストールされた後、実行可能となる。またプロセッサ２１１が、可搬型記録媒体から直接プログラムを読み出して実行することもできる。
【００６７】
以上のようなハードウェア構成によって、本実施の形態の処理機能を実現することができる。なお、上記の構成は一例であり、ハードウェア構成の組み合わせは適宜決定される。上記構成のうち必要のないものを削除するとしてもよいし、現金処理部やカード処理部やレシート処理部等を加えることもできる。
【００６８】
次に、第２の実施形態のカセット情報表示画面について図８を用いて説明する。図８は、第２の実施形態のカセット情報表示画面の一例を示す図である。
カセット情報表示画面５００は、携帯端末２００ａが現金カセット１５０に装着されて現金カセット１５０に関する情報（以下、カセット情報と記載する）を取得した場合に、携帯端末２００ａの表示部に表示される画面である。カセット情報とは、現金カセット１５０に関する情報であり、現金カセット１５０を識別する情報や、現金カセット１５０の点検した情報や、現金カセット１５０の内容物に関する情報などを含む。なお、カセット情報は、携帯端末２００ａが現金カセット１５０から取得した情報だけでなく、監視サーバ３００から取得した情報であってもよい。たとえば、携帯端末２００ａは、監視サーバ３００から現金カセット１５０の設置場所や設置時間の情報を取得し、カセット情報として表示できる。
【００６９】
携帯端末２００ａの表示部に表示されたカセット情報表示画面５００は、携帯端末画面窓１５６を通して係員１５が目視可能である。また、携帯端末収容蓋１５５を開いた状態で画面が表示された場合、携帯端末２００ａの表示部に表示されたカセット情報表示画面５００を係員１５が直接目視可能である。
【００７０】
カセット情報表示画面５００は、カセット番号表示領域５０１、点検履歴表示領域５０２、カセット内容表示領域５０３、設置場所表示領域５０４および設置予定時間表示領域５０５を含む。
【００７１】
カセット番号表示領域５０１は、現金カセット１５０を一意に識別する情報である現金カセット番号を表示する領域である。
点検履歴表示領域５０２は、現金カセット１５０を点検した履歴の情報（以下、点検履歴情報と記載する）を表示する領域である。なお、点検履歴表示領域５０２は、現金カセット１５０が保持する点検履歴情報のうち、最新の情報のみを表示してもよいし、全ての情報をスクロールさせて表示してもよいし、その他の表示であってもよい。また、点検の年月日だけでなく、点検や修理を行った内容等（例：現金カセット内部基板のデータ読み書きチェック、紙幣出入口の紙幣挿入排出チェック、蝶番の交換等）を表示してもよい。
【００７２】
カセット内容表示領域５０３は、現金カセットに収容した現金の金種および枚数を表示する領域である。カセット内容表示領域５０３は、「１万円札：３０００枚、５千円札：１０００枚、千円札：２０００枚」というように紙幣の金種および枚数を表示しているが、これらは一例にすぎず、内容物を示す情報に応じて表示を変更できる。
【００７３】
設置場所表示領域５０４は、現金カセット１５０を設置すべき場所に関する情報を表示する領域である。設置場所表示領域５０４は、たとえば、金融機関名、支店名およびＡＴＭ装置番号が表示されているがこれは一例にすぎず、小売店舗名およびＰＯＳ端末装置の番号などの他の表示であってもよい。
【００７４】
設置予定時間表示領域５０５は、現金カセット１５０が設置される予定の時間を表示する領域である。たとえば、現金カセット１５０が「Ａ銀行Ｂ支店  ＡＴＭ装置番号：００５」に対して「２０１５／１２／２５（金）１８：３０」に設置される予定であることを示す。
【００７５】
なお、これらの表示領域は、携帯端末２００ａが現金カセット１５０から取得した情報に応じて、適宜変更できる。
次に、第２の実施形態のＡＴＭ情報表示画面について図９を用いて説明する。図９は、第２の実施形態のＡＴＭ情報表示画面の一例を示す図である。
【００７６】
ＡＴＭ情報表示画面５１０は、携帯端末２００ａを装着した現金カセット１５０がＡＴＭ１０に装着されてＡＴＭ１０の装置に関する情報（以下、装置情報と記載）を取得した場合に、携帯端末２００ａの表示部に表示される画面である。ＡＴＭ情報表示画面５１０は、ＡＴＭ１０が保持する情報を表示するための画面である。携帯端末２００ａの表示部に表示されたＡＴＭ情報表示画面５１０は、携帯端末画面窓１５６を通して係員１５が目視可能である。また、携帯端末収容蓋１５５を開いた状態で画面が表示された場合、携帯端末２００ａの表示部に表示されたＡＴＭ情報表示画面５１０を係員１５が直接目視可能である。
【００７７】
ＡＴＭ情報表示画面５１０は、ＡＴＭ装置番号表示領域５１１、障害履歴表示領域５１２、障害対策表示領域５１３、復旧履歴表示領域５１４および装置履歴表示領域５１５を含む。
【００７８】
ＡＴＭ装置番号表示領域５１１は、ＡＴＭ１０を一意に識別する情報であるＡＴＭ装置番号を表示する領域である。
障害履歴表示領域５１２は、ＡＴＭ１０において発生した障害の履歴の情報（以下、障害履歴情報と記載する）を表示する領域である。なお、障害履歴表示領域５１２は、ＡＴＭ１０が保持する障害履歴情報のうち、最新の情報のみを表示してもよいし、全ての情報をスクロールさせて表示してもよいし、その他の表示であってもよい。
【００７９】
障害対策表示領域５１３は、ＡＴＭ１０において発生した障害について対策を行った情報を表示する領域である。たとえば、ＡＴＭ１０において紙幣ジャムが発生し、対策として手動で紙幣を取り除いた場合、対策を行った年月日とともに「現場で詰まった紙幣を手動で取り出し…」等を表示できる。
【００８０】
復旧履歴表示領域５１４は、ＡＴＭ１０で発生した障害を復旧した履歴の情報（以下、復旧履歴情報と記載する）を表示する領域である。たとえば、復旧履歴表示領域５１４は、障害が発生した年月日、障害対策および復旧が正常にできたか又はエラー状態であったか、等について表示できる。なお、復旧履歴表示領域５１４は、ＡＴＭ１０が保持する復旧履歴情報のうち、最新の情報のみを表示してもよいし、全ての情報をスクロールさせて表示してもよいし、その他の表示であってもよい。
【００８１】
なお、障害履歴表示領域５１２、障害対策表示領域５１３および復旧履歴表示領域５１４は、対応付けて表示できる。たとえば、同じ年月日「２０１５／６／６」に発生した障害について、その対策および復旧の有無等を対応付けて表示できる。
【００８２】
装置履歴表示領域５１５は、装置の履歴全般に関する情報を表示する領域である。たとえば、ＡＴＭ１０が設置された年月日、ＡＴＭ１０のハードウェアの型式、ＡＴＭ１０にインストールされたソフトウエアのバージョン番号（版数）、修理履歴、障害推移（年度毎の障害件数）などを表示できる。
【００８３】
なお、ＡＴＭ情報表示画面５１０は一例に過ぎず、携帯端末２００ａを装着した現金カセット１５０がＰＯＳ端末装置１１に設置された場合、携帯端末２００ａは、ＰＯＳ端末装置１１から装置情報を取得し、装置情報を表示部に表示できる。
【００８４】
このように、携帯端末２００ａの画面において、現金カセット１５０やＡＴＭ１０やＰＯＳ端末装置１１が保持する情報を表示することによって、係員１５は搬送先の確認や現金カセット１５０を設置する対象となる装置の情報を確認できる。また、複数の現金カセット１５０を搬送する場合、現金カセット１５０毎に設置場所（搬送先）を表示することが可能であるため、係員１５による現金カセット１５０の運搬ミスを減少させることができる。また、係員１５は、障害履歴の情報を確認することにより、現金カセット１５０および現金カセット１５０を設置する装置に異常が発生した場合の対応に役立てることができる。
【００８５】
次に、第２の実施形態の携帯端末２００ａが行う携帯端末カセット監視処理について図１０と図１１を用いて説明する。図１０は、第２の実施形態の携帯端末カセット監視処理のフローチャートを示す図である（その１）。図１１は、第２の実施形態の携帯端末カセット監視処理のフローチャートを示す図である（その２）。
【００８６】
携帯端末カセット監視処理は、携帯端末２００ａが現金カセット１５０に装着されて、現金カセット１５０が搬送され、現金カセット１５０がＡＴＭ１０に設置されるまでの流れを示したものである。制御部２１０のプロセッサ２１１は、係員１５によって処理の開始の指示を受けた場合に処理を実行する。
【００８７】
［ステップＳ１１］プロセッサ２１１は、現在の位置情報を取得し、監視サーバ３００と通信を開始する。プロセッサ２１１は、現在の位置情報を監視サーバ３００に送信し、監視サーバ３００において携帯端末２００ａの場所を認識できる。
【００８８】
［ステップＳ１２］プロセッサ２１１は、警備情報を監視サーバ３００から受信する。警備情報とは、たとえば、現金カセット１５０の設置場所や設置対象の装置（ＡＴＭ１０、ＰＯＳ端末装置１１等）を識別する情報や設置予定時間等である。なお、プロセッサ２１１は、係員１５から携帯端末２００ａが監視する対象となる現金カセット１５０（携帯端末２００ａを装着する現金カセット１５０）の現金カセット番号の入力を受け付け、現金カセット番号を監視サーバ３００に送信する。プロセッサ２１１は、送信した現金カセット番号に対応する警備情報を監視サーバ３００から受信できる。
【００８９】
なお、プロセッサ２１１は、ステップＳ１１で取得した現在の位置情報と警備情報に含まれる設置場所に基づいて、設置場所に現金カセット１５０を運搬するルート（以下、目的ルートと記載する）を探索し、設定できる。また、プロセッサ２１１は、目的ルートを探索するとともに、設置場所に到着する予定時刻等を設定できる。なお、目的ルートを探索する機能等は、プロセッサ２１１が携帯端末２００ａの外部のコンピュータの機能を利用してもよいし、車両１２等に搭載しているカーナビゲーションのプログラムを利用してもよいし、その他のものを利用してもよい。
【００９０】
［ステップＳ１３］プロセッサ２１１は、係員１５が所持する携帯端末２００ｂ（以下、係員携帯端末２００ｂと記載する）と通信を開始する。また、プロセッサ２１１は現在位置情報を係員携帯端末２００ｂに送信し、係員携帯端末２００ｂにおいて携帯端末２００ａの場所を認識できる。
【００９１】
［ステップＳ１４］プロセッサ２１１は、カセット情報を取得し表示する。言い換えると、プロセッサ２１１は、監視サーバ３００および現金カセット１５０から取得した情報をカセット情報として表示部に表示する。
【００９２】
たとえば、プロセッサ２１１は、現金カセット１５０から取得した情報に基づいて、カセット番号表示領域５０１、点検履歴表示領域５０２およびカセット内容表示領域５０３を表示できる。また、プロセッサ２１１は、監視サーバ３００から取得した情報に基づいて、設置場所表示領域５０４および設置予定時間表示領域５０５を表示できる。こうして、プロセッサ２１１は、カセット情報表示画面５００を表示できる。
【００９３】
［ステップＳ１５］プロセッサ２１１は、携帯端末２００ａが現金カセット１５０に装着されたか否かを判定する。プロセッサ２１１は、現金カセット内部基板１６５にアクセスできることを認識し、収容蓋錠部１５７にロックが掛けられたことを認識した場合に、携帯端末２００ａが現金カセット１５０に装着されたと判定できる。たとえば、プロセッサ２１１は、通信インタフェース２１６を介して携帯端末接続コネクタ１６０と接続され現金カセット内部基板１６５にアクセスできることを認識し、収容蓋錠部１５７にロックが掛けられたことを認識する。なお、プロセッサ２１１は、通信インタフェース２１６を介して無線通信によって携帯端末２００ａと接続し、現金カセット内部基板１６５にアクセスできることを認識してもよい。
【００９４】
プロセッサ２１１は、携帯端末２００ａが現金カセット１５０に装着されたと判定した場合にステップＳ１６にすすみ、装着されていないと判定した場合にステップＳ１５にもどる。
【００９５】
［ステップＳ１６］プロセッサ２１１は、現在の位置情報を取得する。
［ステップＳ１７］プロセッサ２１１は、ステップＳ１６で取得した現在の位置情報に基づき、目的ルートまたは係員携帯端末２００ｂから携帯端末２００ａを装着した現金カセット１５０が所定の距離以上離れたか否かを判定する。
【００９６】
なお、所定の距離は、携帯端末２００ａのＨＤＤ２１３等の記憶部に予め設定することができる。たとえば、携帯端末２００ａと係員携帯端末２００ｂとの間の所定の距離は、１０ｍと設定できる。また、携帯端末２００ａと目的ルートとの間の所定の距離は、たとえば、１Ｋｍと設定できる。このように距離を設定すると、現金カセット１５０が係員携帯端末２００ｂから１０ｍ以上離れた場合または現金カセット１５０が目的ルートから１Ｋｍ以上離れた場合に、プロセッサ２１１は、所定の距離以上離れたと判定できる。
【００９７】
プロセッサ２１１は、目的ルートまたは係員携帯端末２００ｂから所定の距離以上離れたと判定した場合にステップＳ１８にすすみ、所定の距離以上離れていないと判定した場合にステップＳ２２にすすむ。
【００９８】
［ステップＳ１８］プロセッサ２１１は、現在の位置情報を監視サーバ３００に送信する。なお、プロセッサ２１１は、一定の時間ごと（たとえば、３分ごと）に監視サーバ３００に現在の位置情報を送信してもよい。
【００９９】
［ステップＳ１９］プロセッサ２１１は、携帯端末２００ａが有するカメラで静止画または動画を撮影し、監視サーバ３００に送信する。
たとえば、プロセッサ２１１は、目的ルートまたは係員携帯端末２００ｂから所定の距離以上離れたと判定した時に、静止画を撮影し、静止画のデータを監視サーバ３００に送信できる。また、プロセッサ２１１は、目的ルートまたは係員携帯端末２００ｂから離れたと判定した時から所定の時間（たとえば、１０分間）音声および動画を録音録画し、録音録画したデータを監視サーバ３００に送信してもよい。
【０１００】
なお、プロセッサ２１１は、一定の時間ごと（たとえば、３分ごと）に監視サーバ３００に録画データまたは録音データを送信してもよい。
［ステップＳ２０］プロセッサ２１１は、警告情報を係員携帯端末２００ｂに送信し表示させる。たとえば、プロセッサ２１１は、「現金カセットの搬送路が目的ルートから外れました」、「現金カセットが係員から離れました」等の警告情報を係員携帯端末２００ｂに送信して係員携帯端末２００ｂの表示部に表示させることができる。
【０１０１】
［ステップＳ２１］プロセッサ２１１は、携帯端末２００ａにおいて警告情報および警告音を出力できる。たとえば、プロセッサ２１１は、カセット情報表示画面５００を消去して、「本カセットはルートを外れました」という警告情報を表示部に表示できる。また、プロセッサ２１１は、ブザー音などを出力できる。これにより、現金カセット１５０が盗難にあった場合に、現金カセット１５０の付近の人物に警告することが可能となる。
【０１０２】
［ステップＳ２２］プロセッサ２１１は、ステップＳ１６で取得した現在の位置情報に基づき、携帯端末２００ａを装着した現金カセット１５０が現金カセット１５０の設置場所に到着したか否かを判定する。
【０１０３】
プロセッサ２１１は、現金カセット１５０が設置場所に到着したと判定した場合にステップＳ２３にすすみ、到着していないと判定した場合にステップＳ１６にもどる。
［ステップＳ２３］プロセッサ２１１は、携帯端末２００ａを装着した現金カセット１５０が設置対象の装置に設置されたか否かを判定する。プロセッサ２１１は、現金カセット１５０が設置対象の装置に設置されたと判定した場合にステップＳ２５にすすみ、設置されていないと判定した場合にステップＳ２４にすすむ。
【０１０４】
なお、設置対象の装置に設置されたか否かの判定は、（ａ）ステップＳ１２で監視サーバ３００から受信した警備情報に含まれる装置を識別する情報と（ｂ）現金カセット１５０が設置された装置から取得した装置を識別する情報とを比較することで判定する。たとえば、設置するＡＴＭ装置番号「００５」を監視サーバ３００から受信し、現金カセット１５０が設置されたＡＴＭ１０から取得したＡＴＭ装置番号が「００５」である場合、プロセッサ２１１は、現金カセット１５０が設置対象の装置に設置されたと判定できる。
【０１０５】
なお、プロセッサ２１１は、現金カセット１５０が装置に設置されておらず装置を識別する情報を取得できない場合も、設置対象の装置に設置されていないと判定する。
［ステップＳ２４］プロセッサ２１１は、現金カセット１５０の設置指示および現金カセット１５０を設置すべき装置の情報を表示する。たとえば、現金カセット１５０が装置に設置されておらず装置を識別する情報を取得できない場合、プロセッサ２１１は、「Ａ銀行Ｂ支店に到着しました。現金カセットを装置番号００５番のＡＴＭに設置してください」と表示できる。
【０１０６】
また、プロセッサ２１１は、監視サーバ３００から受信した装置番号と現金カセットを設置した装置から取得した装置番号とが異なっている場合、「現金カセットを設置した装置が誤りです。正しい装置番号は００５番です。設置し直してください。」と表示できる。
【０１０７】
なお、文字情報だけでなく、プロセッサ２１１は、店舗内部の装置の配置図を併せて表示できる。
［ステップＳ２５］プロセッサ２１１は、現金カセットを設置した装置の装置情報を表示する。たとえば、プロセッサ２１１は、現金カセット１５０がＡＴＭ１０に設置された場合、ＡＴＭ１０から装置情報を取得して、ＡＴＭ情報表示画面５１０を表示部に表示できる。
【０１０８】
［ステップＳ２６］プロセッサ２１１は、現金カセット１５０が装置に設置されたことを監視サーバ３００に通知する。
［ステップＳ２７］プロセッサ２１１は、現金カセット１５０の収容蓋錠部１５７に対する解除の指示を表示部に表示する。
【０１０９】
なお、プロセッサ２１１は、収容蓋錠部１５７の解除の指示とともに、携帯端末収容蓋１５５を開放するために必要な処理を行うことができる。たとえば、収容蓋錠部１５７が電磁式ロックである場合、プロセッサ２１１は、収容蓋錠部１５７のロックの解除を受け付け可能な状態にする。また、収容蓋錠部１５７が暗証番号の入力でロックの解除が可能な構造である場合、プロセッサ２１１は、暗証番号の入力を受け付け可能な状態にする。
【０１１０】
［ステップＳ２８］プロセッサ２１１は、携帯端末２００ａが現金カセット１５０から取り外されたか否かを判定する。たとえば、プロセッサ２１１は、収容蓋錠部１５７のロックの解除を認識し、現金カセット内部基板１６５とのアクセスが切断されたことを認識した場合に、携帯端末２００ａが現金カセット１５０から取り外されたと判定できる。
【０１１１】
プロセッサ２１１は、携帯端末２００ａが現金カセット１５０から取り外されていないと判定した場合にステップＳ２８にもどり、取り外されたと判定した場合に携帯端末カセット監視処理を終了する。
【０１１２】
このように、現金カセット１５０は、携帯端末２００ａを装着することにより、係員１５に対し現金カセット１５０の設置に関する指示ができる。また、係員１５は、現金カセット１５０を設置する装置の場所や、障害対策の情報等を把握しやすくなる。
【０１１３】
また、現金カセット１５０が盗難等によって目的ルートまたは係員携帯端末２００ｂから離れた場合、監視サーバ３００は、現金カセット１５０に装着された携帯端末２００ａによって位置情報や画像情報等を取得できる。これにより、監視サーバ３００によって、現金カセット１５０の盗難された状況を把握しやすくできる。
【０１１４】
また、現金カセット１５０が設置予定の装置以外に間違って設置された場合、現金カセット１５０に装着した携帯端末２００ａは、設置装置が誤りである旨を表示することで係員１５に間違いを指摘できる。これにより、係員１５による現金カセット１５０の設置ミスを減少させることができる。
【０１１５】
このように、現金カセット監視システムおよび現金カセットは、現金カセットの監視に関する利便性を向上できる。
なお、上記の処理機能は、コンピュータによって実現することができる。その場合、情報処理装置１と携帯端末２００ａが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【０１１６】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１７】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送される毎に、逐次、受け取ったプログラムにしたがった処理を実行することもできる。
【０１１８】
また、上記の処理機能の少なくとも一部を、ＤＳＰ、ＡＳＩＣ、ＰＬＤなどの電子回路で実現することもできる。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１１９】
１  情報処理装置
２ａ  制御部
２ｂ  表示部
３ａ  第１のカセット情報
３ｂ  第２のカセット情報
３ｃ  第３のカセット情報
４ａ  第１の装置情報
４ｂ  第２の装置情報
５  現金カセット
６  監視サーバ
７  現金カセット設置装置
８  位置情報／画像情報
９，４００  現金カセット監視システム
１０  ＡＴＭ
１１  ＰＯＳ端末装置
１２  車両
１５  係員
１５０  現金カセット
１５１  紙幣出入口
１５２  取っ手
１５３  現金カセット蓋錠部
１５４  現金カセット蓋
１５５  携帯端末収容蓋
１５６  携帯端末画面窓
１５７  収容蓋錠部
１５８  携帯端末カメラ窓
１５９  現金カセット本体
２００ａ，２００ｂ  携帯端末
２５０  ネットワーク
３００  監視サーバ
【図１】
2017168752.tif 000003
【図２】
2017168752.tif 000004
【図３】
2017168752.tif 000005
【図４】
2017168752.tif 000006
【図５】
2017168752.tif 000007
【図６】
2017168752.tif 000008
【図７】
2017168752.tif 000009
【図８】
2017168752.tif 000010
【図９】
2017168752.tif 000011
【図１０】
2017168752.tif 000012
【図１１】
2017168752.tif 000013
【国際調査報告】
2017168752.tif 000014
2017168752.tif 000015
2017168752.tif 000016
2017168752.tif 000017